(57)【要約】【課題】  装飾装置も兼ねることのできるミラー装置で、特に、商店の店舗等に好適なものとし、利用者が離れているときには装飾板として、近付いたときにはミラーとして機能するようにする。【解決手段】  所定の平面積を有するハーフミラー３と、ハーフミラー３の裏面に接合され、図形や絵等の所定の装飾が施されている光透過性材からなる装飾板４と、装飾板４の裏面側に位置する光源Ｌと、光源ＬをオンオフするスイッチＳとからなる。スイッチＳは、ハーフミラー３前面から所定距離内に利用者が位置したことを検出するセンサＤの検出出力によりオフする。【選択図】      図２
0003105262.tif 000002
【実用新案登録請求の範囲】
【請求項１】
所定の平面積を有するハーフミラーと前記ハーフミラーの裏面に接合され、図形や絵等の所定の装飾が施されている光透過性材からなる装飾板と前記装飾板の裏面側に位置する光源と前記光源をオンオフするスイッチとからなることを特徴とするミラー装置。
【請求項２】
請求項１記載のミラー装置において、装飾板には静止画あるいは動画が表示されるようになっていることを特徴とするミラー装置。
【請求項３】
請求項１又は２記載のミラー装置において、装飾板と光源との間には、その光源から照射させる光線をその装飾板全体に均一に分散させる分散板が設けられていることを特徴とするミラー装置。
【請求項４】
請求項１乃至３に記載のミラー装置において、スイッチはハーフミラー前面から所定距離内に利用者が位置したことを検出するセンサの検出出力によりオフされることを特徴とするミラー装置。
【請求項５】
請求項１乃至４に記載のミラー装置において、スイッチがオフにされて所定時間経過したときには、そのスイッチをオンに制御する制御手段が設けられていることを特徴とするミラー装置。
【請求項６】
請求項１乃至５に記載のミラー装置において、スイッチは、利用者によりオンオフされる手動スイッチからなることを特徴とするミラー装置。
【考案の詳細な説明】
【技術分野】
【０００１】
この考案はミラー装置に係り、特に装飾機能を備えたもので、例えば化粧品店をはじめ各種の店舗等において顧客が離れているときには所定内容のディスプレーが表示され、近付くとミラーとなる兼用形として使用でき、しかも設置スペースを節減でき、また各種の店頭プロモーションとしても利用可能なミラー装置に関する。
【背景技術】
【０００２】
従来、この種のミラー装置は、所定の平面積を有する透明な板ガラスの一方の面、すなわち板ガラスの裏面に所定の金属を蒸着し、あるいは所定の塗料を塗布することで反射面が形成されている。このため、板ガラスの他方の面、すなわち板ガラスの表面には、その表面側に位置する物体を映しだすことができるように構成されている。
【特許文献１】特になし
【考案の開示】
【考案が解決しようとする課題】
【０００３】
このようなミラー装置は、例えば化粧品、被服等の購入に際しては実際上に試用、着用したときの雰囲気等を確認するためも、設置される必要がある。ただ、従来のミラー装置は、ミラー装置の表面にその表面側に位置する物体を常時映しだしているのみで装飾性に欠け、特にミラー装置が商店の店舗に設置される場合は、装飾性に乏しいミラー装置により店舗内の美観を損ねてしまうおそれがあった。また、ミラー装置は、化粧品や被服を販売する店舗内において必需品であるが、大型のミラー装置は店舗を狭くするだけでなく、店舗内のレイアウトを損ねてしまうおそれがあった。
【０００４】
一方、化粧品や被服その他の各種の販売店舗では、販促等のために各種のディスプレーが表示装飾されており、店舗内で十分な設置スペースがある場合にはともかく、比較的に狭い個人商店における店舗ではディスプレー装置とミラー装置とを別個に設置するのは困難である場合もある。
【０００５】
そこで、この考案は、上記欠点を解決するためになされたものであって、その目的は、狭い店舗内でもそのスペースを有効に活用でき、例えば顧客が離れている場合にはディスプレーとして、各種商品等の試用、着用等の確認のために近付くとそれを映しだすことができ、また店頭プロモーションとしても利用できるようにした装飾装置を兼用することのできるミラー装置を提供することにある。
【課題を解決するための手段】
【０００６】
この考案に係るミラー装置１は上記目的を達成するために、所定の平面積を有するハーフミラー３と前記ハーフミラー３の裏面に接合され、図形や絵等の所定の装飾が施されている光透過性材からなる装飾板４と前記装飾板４の裏面側に位置する光源Ｌと前記光源ＬをオンオフするスイッチＳとからなることを特徴としている。
上記構成において、スイッチＳがオンされているときは、例えば光電管の如き光源Ｌが光線を照射し所定の図形や絵がハーフミラー３の表面に表れ、ミラー装置１が装飾装置の機能を果たし、そのスイッチＳがオフされているときは、光源Ｌが光線を照射しないのでハーフミラー３は鏡として機能し、その表面にハーフミラー３自体の前方に位置する物体を映しだすこととなる。
また、この考案に係るミラー装置１において、装飾板４には静止画あるいは動画が表示されるようにするとを特徴としており、各種の風景、人物、ＣＭその他を静止的に、また動きのあるものとして表示させ、顧客・利用者等に対して強い印象を与える。
この考案に係るミラー装置１において、装飾板４と光源Ｌとの間には、その光源Ｌから照射させる光線をその装飾板４全体に均一に分散させる分散板５が設けられていることを特徴としている。
さらに、この考案に係るミラー装置１において、スイッチＳはハーフミラー３前面から所定距離内に利用者イが位置したことを検出するセンサＤの検出出力によりオフされることを特徴としている。
そしてこの考案に係るミラー装置１において、スイッチＳがオフにされて所定時間経過したときには、そのスイッチＳをオンに制御する制御手段が設けられていることを特徴としている。
また、この考案に係るミラー装置１において、スイッチＳは、利用者イによりオンオフされる手動スイッチからなることを特徴としている。
【考案の効果】
【０００７】
この考案に係るミラー装置１は、ハーフミラー３の裏面に図形や絵等の所定の装飾が施されている光透過性材からなる装飾板４が設けられているとともに、その装飾板４の裏面側に光源Ｌが設けられているので、スイッチＳがオンされて光源Ｌが光線を照射している間、ハーフミラー３の表面に所定の図形や絵が表れ、ミラー装置１が装飾装置の機能を果たすことができる。そして、スイッチＳがオフされて光源Ｌから光線が照射されなくなると、ミラー装置１は、ハーフミラー３の前方に位置する物体を映しだす本来のミラー装置１の機能を果たすことができる。したがって、このミラー装置１が商店の店舗に設置されたときは、店舗の美観を高めると共に、スペースを有効活用することが可能となる。
【０００８】
また、この考案に係るミラー装置１においては、装飾板４には静止画あるいは動画が表示されるようにしてあるから、各種の静止画像、動画像を選択的に表示でき、その表示内容も風景、人物その他、更には商業的広告（ＣＭ）のものとすることもでき、しかも利用者の接近に伴い、それまでの装飾機能がミラー機能に変化することとも相俟ち、強い印象を与えるものである。
【０００９】
また、この考案に係るミラー装置１においては、装飾板４と光源Ｌとの間に、その光源Ｌから照射させる光線をその装飾板４全体に均一に分散させる分散板５が設けられているので、装飾板４に対する光線のムラがなくなり、装飾板４全体における装飾効果を高めることができる。
【００１０】
さらに、この考案に係るミラー装置１において、スイッチＳはハーフミラー３前面から所定距離内に利用者イが位置したことを検出するセンサＤの検出出力によりオフされるので、利用者イが離れた場所にいるとき、近付いたとき等に応じて自動的にスイッチＳを操作してミラー装置１のディスプレー機能あるいはミラー機能の切換えを容易に行うことができる。
【００１１】
そして、この考案に係るミラー装置１において、スイッチＳがオフにされて所定時間経過したときには、そのスイッチＳをオンに制御する制御手段が設けられているので、ミラー装置１が所定の時間でミラーの機能を発揮するものとしたり、あるいは必要以上にミラーの機能が継続したりするのを効果的に防止することができる。
【００１２】
また、この考案に係るミラー装置１において、スイッチＳは、利用者イによりオンオフされる手動スイッチからなるので、利用者イは必要に応じて装飾機能を選択し、またミラー機能を選択することができる。
【００１３】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１４】
以下、この考案を実施するための最良の形態を図面に基づいて説明する。図１（Ａ）は、この考案に係るミラー装置１が装飾機能を維持している状態を示していて、枠体２内に設けられているハーフミラー３の表面に例えば花の絵が表示されている状態を示している。また、同図（Ｂ）は、このミラー装置１がミラー機能を維持している状態を示していて、枠体２内に設けられているハーフミラー３の表面に、そのハーフミラー３の前方に位置する利用者イを映し出している状態を示している。
【００１５】
このミラー装置１の具体的構成を図２及び図３（Ａ），（Ｂ）を用いて説明すると、枠体２は、その外形形状が縦長の四角形を呈していて、その内側には、縦長の四角形の開口２Ａが設けられている。そして、この開口２Ａにハーフミラー３が枠体２の裏側（図２及び図３（Ａ），（Ｂ）の例では枠体２の左側）から挿入位置決めできるように構成されている。すなわち、ハーフミラー３は、その外形形状が枠体２の外形形状よりもより小さく、かつ開口２Ａを覆うように開口２Ａよりも少し大きく形成されている。なお、枠体２の外形形状は、縦長の四角形としているが、横長の四角形、あるいは楕円形等の他の形状であってもよい。このハーフミラー３、後述する装飾板４、分散板５及ぶ裏板６の外形形状は、枠体２の外形形状によってそれぞれ決められる性質を有しているのは勿論である。
【００１６】
図中、２Ｂは枠体２の上部に設けられた検知孔であって、枠体２の内側に設けられているセンサＤに利用者イから照射される赤外線を取り入れるために用いられている。すなわち、このセンサＤは、ミラー装置１の前面（ハーフミラー３の前面）から所定距離以内に利用者イが位置したことを例えば熱感知によって検出できるように構成されている。なお、このセンサＤは、上述のような人間の発する熱を感知する方式のセンサでなく、超音波を用いた反射式のセンサ等の公知のセンサを用いることもでき、さらには、ミラー装置１の前方に利用者イが座る椅子が設けられているときは、その椅子に利用者イが座ったことを圧力式のセンサやリミットスイッチ等からなる機械式のセンサで検出されるものであってもよい。この機械式のセンサは、この考案における利用者によりオンオフされる手動スイッチ（図示せず）も含まれている。
【００１７】
上記ハーフミラー３は、公知のハーフミラーと同様に構成されていて、扁平な透明なガラス板又は合成樹脂板の一方の面（図２では左側の面）に所定の金属を蒸着して、あるいはミラーシートを貼着して構成されている。したがって、このハーフミラー３は、ハーフミラー３を中間にして一方側（図２及び図３（Ａ），（Ｂ）においてハーフミラー３の左側）の照度が他方側（図２及び図３（Ａ），（Ｂ）においてハーフミラー３の右側）の照度より小さいときは、その一方側から他方側の状態を見ることができるとともに、その他方側から一方側を見たときは、その他方側に位置する物体がハーフミラー３に映しだされる。これとは逆に、一方側の照度が他方側の照度より大きいときは、その他方側から一方側の物体を見ることができ、後述する装飾板４を他方側で見ることが可能となる。
【００１８】
図中、４は装飾板であって、ハーフミラー３の裏面（図２及び図３（Ａ），（Ｂ）において左側の面）に接合され、その平面形状はハーフミラー３と同じで透明な合成樹脂製のフィルム、すなわち光透過性材からなる板材に図形や絵等の所定の装飾が施されて、あるいは液晶モニターの画面のものとして構成されていて、静止画のみならず動画も表示されるようになっている。図示の例では、装飾として風景画４Ａがフィルムに印刷されている例であるが、抽象的な絵や花の絵等であっても、動画によるＣＭ等であってもよい。また、この考案に係るミラー装置１が例えば化粧品を販売する店舗に用いられる場合は、その店舗において販売される化粧品をはじめとする各種商品広告の絵柄・コピーその他を表示した装飾板４とすることもできる等の各種の店頭プロモーション用に使用するときに、それらに対応したものとされる。
【００１９】
図中、５は分散板であって、装飾板４の裏面（図２及び図３（Ａ），（Ｂ）において左側の面）に接合され、その平面形状は装飾板４と同じに構成されている。そして、この分散板５は、光透過性のガラス又は合成樹脂板から構成されていて、一方の面（図２及び図３（Ａ），（Ｂ）において左側の面）は凹凸面に形成されている。したがって、この分散板５は、分散板５の一方側に位置するこの考案の光源に相当する光電管（蛍光管）Ｌから照射される光線を装飾板４の全面に均一に分散させることができる。なお、この分散板５は、公知の曇りガラスで構成することも可能である。
【００２０】
分散板５の一方側に設けられる上記光電管Ｌは、点灯されたときに、その一方側の照度がハーフミラー３の前面側、つまり、このミラー装置１の設置されている環境の照度よりも大きくなるように決められている。なお、ここでは光源として光電管Ｌを用いたが、ＬＥＤ等の他の光源を用いることもできる。特に、光源をＬＥＤとしたときは、消費電力及び発熱量が小さいので好適である。また、この光源Ｌ自体は、これらの光電管、ＬＥＤ等に限らず、蛍光管、冷陰極間ランプ（ＣＣＦＬランプ）、ＥＬシート等であっても良く、装飾板４をその裏面から照明すればよいから、その照明形態・構造等に特に限定されるものではない。
【００２１】
図中、６は裏板（裏蓋）であって、上記分散板５の一方の面と所定の間隔を保って設けられ、すなわち光電管Ｌを収納できる空間を形成する空間を形成してその分散板５の一方の面側に位置決めして設けられ、ビスｂを介して枠体２に着脱自在に取付けられている。また、この裏板６の周囲の突起によってハーフミラー３、装飾板４及び分散板５が枠体２に固定できるように構成されている（図３（Ａ），（Ｂ）参照）。また、この裏板６の内側（図２及び図３（Ａ），（Ｂ）において右側）には、図示しないが、光電管Ｌを固定する支持機構が設けられているとともに、この光電管Ｌを点灯制御するための電気回路が設けられている。
【００２２】
図４は、光電管Ｌを点灯制御するための電気回路構成図であり、センサＤの検出信号によりオンオフ（ＯＮ−ＯＦＦ）されるスイッチＳを有している。そして、このスイッチＳがＯＮされたときには、電源Ｅから光電管Ｌに電力が供給されて光電管Ｌが点灯し、そのスイッチＳがＯＦＦされたときには、光電管Ｌへの電力の供給が絶たれて消滅するように構成されている。なお、電源Ｅは、光電管Ｌを点灯するための安定器を含んで構成されているが、ここでは省略されているとともに、センサＤに対する駆動電力もこの電源Ｅから供給されているが、ここでは省略される。
【００２３】
上記構成からなるミラー装置１において、ハーフミラー３の前方（前面）の所定距離以内に利用者イが位置していないときは、スイッチＳはＯＮに保たれている。したがって光電管Ｌが点灯し装飾板４の装飾内容がハーフミラー３に表われ、ミラー装置１が装飾装置としての機能を果たすことができる（図１（Ａ）参照）。そして、ハーフミラー３の前方の所定距離以内に利用者が位置したときは、スイッチＳがＯＦＦとなって光電管Ｌが消灯し、ハーフミラー３はミラー機能を果たすこととなる。このため、ハーフミラー３には利用者イが映しだされることとなる（図１（Ｂ）参照）。
【００２４】
なお、上述の例では、利用者イがハーフミラー３の前方の所定距離以内に位置しているときに、常時スイッチＳがＯＦＦとなるようにしたが、利用者イがハーフミラー３の前方所定距離以内に位置していても、スイッチＳがＯＦＦとなってから所定時間、例えば５分経過したときにスイッチＳがＯＮとなるようなタイマ回路（この考案の制御手段に相当している。）を設けるようにしてもよい。さらには、スイッチＳのＯＮ，ＯＦＦは、センサＤの検出信号により行われているが、このスイッチＳを枠体２外で利用者イが手動で操作できるスイッチ機構の手動スイッチとして必要に応じてＯＮ，ＯＦＦ制御するようにすることも可能である。
【００２５】
また、これの使用に際しては、例えば壁掛け形として店頭における壁面に掛けたり、所定の小型スタンドに載置してショーケース上に置いたり、また移動されるフロアスタンド上に立脚状に設置して店舗における姿見となるミラースタンドとしたり等とすることができるもので、もとより使用・設置形態等はこれらに限定されるものではない。
【図面の簡単な説明】
【００２６】
【図１】（Ａ）は、この考案に係るミラー装置が装飾機能状態にあるときの正面図、（Ｂ）は、この考案に係るミラー装置がミラー機能状態にあるときの正面図である。
【図２】この考案に係るミラー装置の分解斜視図である。
【図３】（Ａ）は、この考案に係るミラー装置の上部コーナー部分の断面図、（Ｂ）は、その上部中央部分の断面図である。
【図４】この考案に係るミラー装置の電気回路構成図である。
【符号の説明】
【００２７】
１…ミラー装置                          ２…枠体
２Ａ…開口                              ２Ｂ…検知孔
２Ｃ…ねじ孔                            ３…ハーフミラー
４…装飾板                              ４Ａ…絵
５…分散板                              ６…裏板
Ｄ…センサ                              Ｌ…光電管（光源）
ｂ…ビス                                Ｓ…スイッチ
Ｅ…電源                                イ…利用者
【図１】
0003105262.tif 000003
【図２】
0003105262.tif 000004
【図３】
0003105262.tif 000005
【図４】
0003105262.tif 000006